(57)【特許請求の範囲】
【請求項１】
複数の入力端末と表示端末とを有するデジタルサイネージシステムにおいて、
前記表示端末は、
外部のサーバ装置から、前記デジタルサイネージシステムの設置場所に依存しないグローバル情報を取得して、第１の記憶部に格納する取得部と、
前記複数の入力端末によって入力された、前記デジタルサイネージシステムの設置場所に依存する複数のローカル情報を第２の記憶部に格納する格納部と、
前記第１の記憶部に記憶される前記グローバル情報と、前記第２の記憶部に記憶される前記複数のローカル情報のうち、前記グローバル情報より前記複数のローカル情報を優先して表示させる際に、前記複数のローカル情報のうち、予め指定したキーワードを含むローカル情報のみを表示させる表示制御部と
を有することを特徴とするデジタルサイネージシステム。
【請求項２】
前記表示制御部は、前記第２の記憶部に前記複数のローカル情報が記憶されている場合は、前記グローバル情報よりも前記複数のローカル情報を優先して表示させることを特徴とする請求項１に記載のデジタルサイネージシステム。
【請求項３】
前記表示制御部は、前記複数のローカル情報に緊急の情報であることを示す識別子が付与されている場合は、前記グローバル情報より前記複数のローカル情報を優先して表示させ、前記複数のローカル情報に前記識別子が付与されていない場合は、格納された順で前記グローバル情報および前記複数のローカル情報を表示させることを特徴とする請求項１に記載のデジタルサイネージシステム。
【請求項４】
前記表示制御部は、前記第２の記憶部に前記複数のローカル情報が格納された場合に、前記グローバル情報が表示される表示画面から、前記複数のローカル情報が表示される表示画面に切り替えることを特徴とする請求項１に記載のデジタルサイネージシステム。
【請求項５】
前記表示制御部は、前記第２の記憶部に前記複数のローカル情報が格納された場合に、前記グローバル情報が表示される表示画面に、前記複数のローカル情報を重畳して表示させることを特徴とする請求項１に記載のデジタルサイネージシステム。
【請求項６】
前記入力端末と前記表示端末は、防塵加工および防水加工が施された持ち運び可能な筐体内に収納されることを特徴とする請求項１に記載のデジタルサイネージシステム。
【請求項７】
複数の入力端末と表示端末とを有するデジタルサイネージシステムが実行する表示制御方法において、
前記表示端末が、
外部のサーバ装置から、前記デジタルサイネージシステムの設置場所に依存しないグローバル情報を取得して、第１の記憶部に格納し、
前記複数の入力端末によって入力された、前記デジタルサイネージシステムの設置場所に依存する複数のローカル情報を第２の記憶部に格納し、
前記第１の記憶部に記憶される前記グローバル情報と、前記第２の記憶部に記憶される前記複数のローカル情報のうち、前記グローバル情報より前記複数のローカル情報を優先して表示させる際に、前記複数のローカル情報のうち、予め指定したキーワードを含むローカル情報のみを表示させる
処理を含むことを特徴とする表示制御方法。
【発明の詳細な説明】
【技術分野】
【０００１】
本発明は、デジタルサイネージシステムおよび表示制御方法に関する。
【背景技術】
【０００２】
従来から、地震や台風などの自然災害が発生した場合に、避難所間や自治体間で情報共有を行うために、情報処理システムが利用されている。具体的には、避難所に設置された表示装置が外部サーバから情報を取得して表示し、被災者等に情報を提供する。一例を挙げると、避難所に設置された表示装置は、天気予報、被災状況、交通情報、復旧情報などを、気象庁などの外部の管理サーバや他の避難所に設置されるサーバから取得して表示する。
【先行技術文献】
【特許文献】
【０００３】
【特許文献１】特開２０１３−５８０７１号公報
【発明の概要】
【発明が解決しようとする課題】
【０００４】
しかしながら、上記技術では、各避難所等に配信される、急を要するグローバルな情報を表示させる状況で、避難所内に特化したローカルな情報を入手して表示させることが難しい。なお、ここでは一例として避難所を例にして説明したが、消防隊などの訓練などのように、管理者サーバが管理対象のサーバに情報を配信する配信システムにも同様の問題がある。
【０００５】
開示の技術は、上記に鑑みてなされたものであって、グローバルな情報およびローカルな情報を入手して提供することができるデジタルサイネージシステムおよび表示制御方法を提供することを目的とする。
【課題を解決するための手段】
【０００６】
本願の開示するデジタルサイネージシステムは、入力端末と表示端末とを有する。前記表示端末は、外部のサーバ装置から第１の情報を取得して、第１の記憶部に格納する取得部と、前記入力端末によって入力された第２の情報を第２の記憶部に格納する格納部と、前記第１の記憶部に記憶される前記第１の情報と、前記第２の記憶部に記憶される前記第２の情報とを表示させる表示制御部とを有する。
【発明の効果】
【０００７】
一実施形態によれば、グローバルな情報およびローカルな情報を入手して提供することができる。
【図面の簡単な説明】
【０００８】
【図１】図１は、実施例１に係るシステムの全体構成例を示す図である。
【図２】図２は、ポータブルシステムを説明する図である。
【図３】図３は、入力端末と表示端末の機能構成を示す機能ブロック図である。
【図４】図４は、入力端末のテキスト入力画面の例を示す図である。
【図５】図５は、入力端末のメディア入力画面の例を示す図である。
【図６】図６は、コンテンツ記憶部のフォルダ構成例を示す図である。
【図７】図７は、コンテンツ選択画面の例を示す図である。
【図８】図８は、ローカル情報の表示画面の例を示す図である。
【図９】図９は、ローカル情報の表示画面の例を示す図である。
【図１０】図１０は、入力端末の処理の流れを示すフローチャートである。
【図１１】図１１は、表示端末のコンテンツ保存処理の流れを示すフローチャートである。
【図１２】図１２は、表示端末のコンテンツ表示処理の流れを示すフローチャートである。
【図１３】図１３は、実施例２に係るシステムの全体構成例を示す図である。
【発明を実施するための形態】
【０００９】
以下に、本願の開示するデジタルサイネージシステムおよび表示制御方法の実施例を図面に基づいて詳細に説明する。なお、この実施例によりこの発明が限定されるものではない。
【実施例１】
【００１０】
［全体構成］
図１は、実施例１に係るシステムの全体構成例を示す図である。図１に示すように、このシステムは、管理端末１、データセンタ２、デジタルサイネージシステム１０がネットワーク３を介して、相互に通信可能に接続される。なお、本実施例では、一例として、デジタルサイネージシステム１０が、地震等の被災地の避難場所に設置される例で説明するが、これに限定されるものではなく、例えば消防署の訓練など様々な場面で使用することができる。
【００１１】
管理端末１は、このシステムの管理者が使用するコンピュータである。この管理端末１は、管理者が入力した情報をコンテンツとして、データセンタ２やデジタルサイネージシステム１０に送信する。
【００１２】
データセンタ２は、デジタルサイネージシステム１０の管理システムである。例えば、データセンタ２に設置されるサーバは、各デジタルサイネージシステム１０に共通の情報であるグローバル情報（以下では、サイネージ情報と記載する場合がある）をコンテンツとして、各デジタルサイネージシステム１０に配信する。なお、グローバル情報の例としては、天気予報、津波情報、交通情報などがある。
【００１３】
デジタルサイネージシステム１０は、被災地などの設置される、持ち運び可能なデジタルサイネージシステムである。このデジタルサイネージシステム１０は、電池１１、電源タップ１２、複数のバッテリー１３、複数の充電アダプター１４、ラジオ１５、ルータ１６、入力端末１７、表示端末１８を有する。
【００１４】
電池１１は、電力を蓄積し、各ハードウェア等に供給する。また、電池１１は、外部の発電機２０などを接続され、充電することができる。なお、発電機２０の例としては、電源コンセント、足こぎ式の発電機、手動による発電機などである。
【００１５】
電源タップ１２は、各ハードウェア等と電池１１とを接続する接続器である。各バッテリー１３は、電池１１に蓄電される電力の一部を記憶する。各充電アダプター１４は、携帯電話やスマートフォンとバッテリー１３とを接続するアダプターであり、各種メーカのアダプターに対応している。
【００１６】
ラジオ１５は、手回し充電や太陽光発電による充電が可能なラジオであり、電池がなくても使えるタイプのラジオである。また、ラジオ１５は、ＬＥＤ（Light  Emitting  Diode）ライトを内蔵しており、さらに、スマートフォンや携帯電話などの充電器として使用することもできる。
【００１７】
ルータ１６は、他の装置とデジタルサイネージシステム１０とを接続する中継機器であり、ネットワーク３を介して、データセンタ２や管理端末１からグローバル情報を受信する。また、ルータ１６は、アクセスポイントとして動作することもでき、被災者等の端末がルータ１６を介して外部ネットワークに通信することもできる。
【００１８】
入力端末１７は、デジタルサイネージシステム１０が設置される場所に特化した情報であるローカル情報を受け付けて、デジタルサイネージシステム１０へ入力するタブレット表示端末の一例である。入力端末１７は、入力されたローカル情報を表示端末１８およびデータセンタ２に送信する。なお、入力端末１７の例としては、例えばスマートフォンや、表示端末１８と接続可能なキーボードなどである。また、ローカル情報の例としては、「毛布が１００枚届きました。」や「緊急情報！高台に非難してください！」などである。
【００１９】
表示端末１８は、グローバル情報およびローカル情報を表示するタブレット表示端末の一例であり、データセンタ２等から受信したグローバル情報と入力端末１７から入力されたローカル情報を別々のフォルダ等で管理する。
【００２０】
このようなデジタルサイネージシステム１０は、入力端末１７と表示端末１８とを有する。そして、デジタルサイネージシステム１０の表示端末１８は、外部のサーバからグローバル情報を取得して第１の記憶部に格納し、入力端末１７によって入力されたローカル情報を第２の記憶部に格納する。その後、デジタルサイネージシステム１０の表示端末１８は、第１の記憶部に記憶されるグローバル情報と、第２の記憶部に記憶されるローカル情報とを表示させる。
【００２１】
つまり、デジタルサイネージシステム１０は、一般的なデジタルサイネージとして動作して様々な情報を被災者等に提供する一方で、緊急を要するローカル情報についても、遅滞なく被災者等に提供することができる。
【００２２】
また、図１に示したデジタルサイネージシステム１０はポータブルシステムとして持ち運び可能である。図２は、ポータブルシステムを説明する図である。図２に示すように、図１に示したデジタルサイネージシステム１０は、防塵加工、防水加工、耐震加工などが施されたケース１０ａに、取り出し可能に収納される。
【００２３】
ケース１０ａ内には、図１に示した各部が収納されるが、収納位置や数は一例であり、任意に変更することができる。例えば、被災者に貸し出す貸出端末１９などを内蔵することもできる。また、ケースの形態も一例であり、様々なケースを採用することができる。さらに、ケースの外観についても、様々な加工を施すことができる。このため、用途や被災地などによって適当な加工が施されたケース内に、上記各部を収納させて、運搬することができる。
【００２４】
［機能構成］
次に、デジタルサイネージシステム１０に搭載される入力端末１７と表示端末１８の機能構成について説明する。図３は、入力端末と表示端末の機能構成を示す機能ブロック図である。
【００２５】
（入力端末の機能構成）
図３に示すように、入力端末１７は、表示部１７ａ、入力受付部１７ｂ、出力部１７ｃ、送信部１７ｄを有する。なお、入力受付部１７ｂ、出力部１７ｃ、送信部１７ｄは、プロセッサが有する電子回路の一例やプロセッサが実行するプロセスの一例である。
【００２６】
表示部１７ａは、入力画面などの各種情報を表示する処理部であり、例えばディスプレイやタッチパネルなどである。入力受付部１７ｂは、キーボード等を介してローカル情報を受け付ける処理部である。具体的には、入力受付部１７ｂは、入力画面などを表示させて、入力画面を介してローカル情報を受け付ける。
【００２７】
図４は、入力端末のテキスト入力画面の例を示す図である。図４に示す入力画面３０は、Ｔｅｘｔ入力欄とＴｅｘｔＫｅｙ−Ｂｏａｒｄを有する。入力受付部１７ｂは、ＴｅｘｔＫｅｙ−Ｂｏａｒｄの領域で、ローカル情報の入力を受け付ける。そして、入力受付部１７ｂは、入力されたローカル情報をＴｅｘｔ入力欄に表示させる。その後、入力受付部１７ｂは、優先度（高か普通）の指定を受け付けると、指定された優先度をＴｅｘｔ入力欄に入力されたローカル情報に設定して、出力部１７ｃと送信部１７ｄとに送信する。
【００２８】
なお、入力受付部１７ｂは、ローカル情報を、テキスト以外にも画像などメディア情報で受け付けることもできる。図５は、入力端末のメディア入力画面の例を示す図である。図５に示すように、入力画面３１は、記憶媒体などが読み出した画像や動画などを表示させる。そして、入力受付部１７ｂは、入力対象のメディアの選択および優先度（高か普通）の指定を受け付けると、指定された優先度を選択されたメディアに設定して、出力部１７ｃと送信部１７ｄとに送信する。なお、入力受付部１７ｂは、ローカル情報として、優先度が設定された定型文などを予め用意しておき、定型文を選択させることもできる。
【００２９】
出力部１７ｃは、入力受付部１７ｂから入力されたローカル情報を表示端末１８に出力する処理部である。具体的には、出力部１７ｃは、入力受付部１７ｂから優先度が設定されたローカル情報を受け付けて、表示端末１８に出力する。
【００３０】
送信部１７ｄは、入力受付部１７ｂから入力されたローカル情報を、データセンタ２や管理端末１に送信する処理部である。具体的には、送信部１７ｄは、入力受付部１７ｂから優先度が設定されたローカル情報を受け付けると、ルータ１６等を介してデータセンタ２や管理端末１に送信する。このとき、送信部１７ｄは、優先度が「高」のローカル情報だけを送信することもできる。
【００３１】
（表示端末の機能構成）
図３に示すように、表示端末１８は、コンテンツ記憶部１８ａ、送受信部１８ｂ、取得部１８ｃ、表示制御部１８ｄ、表示部１８ｅを有する。なお、送受信部１８ｂ、取得部１８ｃ、表示制御部１８ｄは、プロセッサが有する電子回路の一例やプロセッサが実行するプロセスの一例である。
【００３２】
コンテンツ記憶部１８ａは、表示対象となるコンテンツを記憶する記憶装置であり、例えばメモリやハードディスクの一例である。このコンテンツ記憶部１８ａは、グローバル情報とローカル情報とを区別して記憶する。
【００３３】
図６は、コンテンツ記憶部のフォルダ構成例を示す図である。図６に示すように、コンテンツ記憶部１８ａは、サイネージ用フォルダ、ローカル用フォルダ（high  level）、ローカル用フォルダ（low  level）を有する。サイネージ用フォルダは、グローバル情報をグローバルコンテンツとして格納するフォルダである。ローカル用フォルダ（high  level）は、優先度「高」が設定されたローカル情報をローカルコンテンツとして格納するフォルダである。ローカル用フォルダ（low  level）は、優先度「普通」や「低」が設定されたローカル情報をローカルコンテンツとして格納するフォルダである。
【００３４】
なお、ここで示したフォルダ構成は、一例であり、図示した構成に限定されず、細分化することができる。例えば、グローバル情報やローカル情報をジャンルごとに分類し、ジャンルごとにフォルダを設けることもできる。
【００３５】
送受信部１８ｂは、外部のサーバ等から情報を受信する処理部である。具体的には、送受信部１８ｂは、データセンタ２等からグローバル情報を受信すると、コンテンツ記憶部１８ａのサイネージ用フォルダに格納する。なお、送受信部１８ｂは、データセンタ２等に、各種データを送信することもできる。
【００３６】
取得部１８ｃは、ローカル情報を取得してコンテンツ記憶部１８ａに格納する処理部である。具体的には、取得部１８ｃは、入力端末１７からローカル情報を受信すると、受信したローカル情報に付加されている優先度を判定する。そして、取得部１８ｃは、優先度が「高」である場合、受信したローカル情報をコンテンツ記憶部１８ａのローカル用フォルダ（high  level）に格納する。また、取得部１８ｃは、優先度が「普通」や「低」である場合、受信したローカル情報をコンテンツ記憶部１８ａのローカル用フォルダ（low  level）に格納する。
【００３７】
表示制御部１８ｄは、コンテンツを表示部１８ｅに表示させる処理部である。具体的には、表示制御部１８ｄは、基本的にグローバル情報を表示し、ローカル情報が発生した場合は、ローカル情報を優先的に表示させる。また、表示部１８ｅは、各種情報を表示する装置であり、例えばディスプレイやタッチパネルである。
【００３８】
例えば、表示制御部１８ｄは、コンテンツ記憶部１８ａに記憶されるサイネージ用フォルダに記憶されるグローバル情報のコンテンツを、予めスケジューリングされた順序で順次表示する。このようグローバル情報のコンテンツを表示させる状態で、表示制御部１８ｄは、ローカル用フォルダ（high  level）またはローカル用フォルダ（low  level）にコンテンツが登録されたことを検出する。
【００３９】
すると、表示制御部１８ｄは、登録されたローカル情報のコンテンツを読み出して、グローバル情報のコンテンツからローカル情報のコンテンツに表示を切り替える。そして、表示制御部１８ｄは、ローカル情報のコンテンツを所定時間表示させた後、再度スケジュールにしたがって表示制御を実行する。なお、ローカル情報について、優先度が高い方が表示時間を長くすることもできる。
【００４０】
また、表示制御部１８ｄは、登録されているコンテンツの一覧を表示させて、表示対象をユーザに選択させることもできる。図７は、コンテンツ選択画面の例を示す図である。表示制御部１８ｄは、ユーザから選択要求などの操作を受け付けると、図７に示す選択画面３２を表示させる。
【００４１】
選択画面３２は、データセンタ２等から配信されたグローバル情報のコンテンツとして、避難所画像３２ａ、安否確認リスト３２ｂ、レイアウト３２ｃ、ご連絡事項３２ｄ、他の避難所３２ｅを表示するとともに、ローカル情報用の領域として領域３２ｆを有する。
【００４２】
そして、表示制御部１８ｄは、例えば安否確認リスト３２ｂが選択されると、安否確認リスト３２ｂを表示部１８ｅに表示させる。この状態で、表示制御部１８ｄは、ローカル用フォルダ（high  level）またはローカル用フォルダ（low  level）にコンテンツが登録されたことを検出すると、登録された情報のタイトル等を領域３２ｆに表示させた選択画面３２を表示させる。そうするとこで、管理者等は、緊急を要する情報の発生を把握することができる。
【００４３】
次に、グローバル情報からローカル情報へ表示切替について説明する。図８および図９は、ローカル情報の表示画面の例を示す図である。図８の（ａ）に示すように、表示制御部１８ｄは、表示画面３３にサイネージ画面（グローバル情報）３３ａを表示させている状態で、ローカル画面３３ｂをサイネージ画面３３ａに重畳させることもできる。また、図８の（ｂ）に示すように、表示制御部１８ｄは、表示画面３３にサイネージ画面３３ａを表示させている状態で、ローカル画面３３ｂをテロップで表示させることもできる。
【００４４】
さらに、図９に示すように、表示制御部１８ｄは、通常時は、表示画面３４においてサイネージ画面（グローバル情報）３４ａをローカル画面３４ｂよりも大きくさせる。この状態でローカル情報が発生すると、表示制御部１８ｄは、ローカル画面３４ｂの大きさを大きく変更することもできる。なお、図８および図９におけるサイネージ画面は、グローバル情報のコンテンツが表示される画面であり、ローカル画面は、ローカル情報のコンテンツが表示される画面である。
【００４５】
［入力端末の処理］
図１０は、入力端末の処理の流れを示すフローチャートである。図１０に示すように、入力受付部１７ｂは、ローカル情報を受け付けると（Ｓ１０１：Ｙｅｓ）、設定された優先度が緊急（優先度：高）か否かを判定する（Ｓ１０２）。
【００４６】
そして、出力部１７ｃは、設定された優先度が緊急（優先度：高）である場合（Ｓ１０２：Ｙｅｓ）、コンテンツ（高）を表示端末１８に出力する（Ｓ１０３）。一方、出力部１７ｃは、設定された優先度が緊急（優先度：低）である場合（Ｓ１０２：Ｎｏ）、コンテンツ（普通）を表示端末１８に出力する（Ｓ１０４）。
【００４７】
［コンテンツの保存処理］
図１１は、表示端末のコンテンツ保存処理の流れを示すフローチャートである。図１１に示すように、取得部１８ｃまたは送受信部１８ｂは、コンテンツを受け付ける（Ｓ２０１Ｙｅｓ）、受け付けたコンテンツがグローバルコンテンツであるか否かを判定する（Ｓ２０２）。
【００４８】
そして、グローバルコンテンツ、すなわちグローバル情報である場合（Ｓ２０２：Ｙｅｓ）、送受信部１８ｂは、コンテンツ記憶部１８ａのサイネージ用フォルダに受け付けたグローバルコンテンツを格納する（Ｓ２０３）。
【００４９】
一方、取得部１８ｃは、グローバルコンテンツではなく（Ｓ２０２：Ｎｏ）、優先度が高であるローカルコンテンツである場合（Ｓ２０４：Ｙｅｓ）、ローカル用フォルダ（high  level）に受け付けたコンテンツを格納する（Ｓ２０５）。
【００５０】
また、取得部１８ｃは、グローバルコンテンツではなく（Ｓ２０２：Ｎｏ）、優先度が低であるローカルコンテンツである場合（Ｓ２０４：Ｎｏ）、ローカル用フォルダ（low  level）に受け付けたコンテンツを格納する（Ｓ２０６）。
【００５１】
［コンテンツの表示処理］
図１２は、表示端末のコンテンツ表示処理の流れを示すフローチャートである。図１２に示すように、表示制御部１８ｄは、表示タイミングに到達すると（Ｓ３０１：Ｙｅｓ）、コンテンツ記憶部１８ａのローカル用フォルダにローカル情報が記憶されているか否かを判定する（Ｓ３０２）。
【００５２】
そして、表示制御部１８ｄは、ローカル情報が記憶されている場合（Ｓ３０２：Ｙｅｓ）、ローカル情報を読み出して優先的に表示する（Ｓ３０３）。
【００５３】
一方、表示制御部１８ｄは、ローカル情報が記憶されていない場合（Ｓ３０２：Ｎｏ）、表示対象のサイネージ情報が選択されているか否かを判定する（Ｓ３０４）。そして、表示制御部１８ｄは、表示対象のサイネージ情報が選択されている場合（Ｓ３０４：Ｙｅｓ）、選択されているサイネージ情報を表示させる（Ｓ３０５）。
【００５４】
一方、表示制御部１８ｄは、表示対象のサイネージ情報が選択されていない場合（Ｓ３０４：Ｎｏ）、設定されている条件にしたがってサイネージ情報を選択し（Ｓ３０６）、選択したサイネージ情報を表示させる（Ｓ３０７）。なお、設定されている条件は、任意に設定変更することができ、例えば格納順でもよく、別途スケジューリングすることもできる。
【００５５】
［効果］
上述したように、デジタルサイネージシステム１０は、グローバル情報およびローカル情報を入手して提供することができる。したがって、デジタルサイネージシステム１０は、サイネージとして表示される場合とは別に、その場の人だけに伝えたい場合は入力端末１７で作成したコンテンツを表示端末１８に送り、表示端末１８では一覧で設定されたローカルコンテンツにコンテンツがある場合は、そのコンテンツを表示することができる。
【実施例２】
【００５６】
さて、これまで本発明の実施例について説明したが、本発明は上述した実施例以外にも、種々の異なる形態にて実施されてよいものである。そこで、以下に異なる実施例を説明する。
【００５７】
（優先順位）
また、デジタルサイネージシステム１０は、ローカル情報の優先度に応じて表示形式や表示時間を変更することもできる。例えば、デジタルサイネージシステム１０は、優先度が高いローカル情報については、グローバル情報の画面から切り替えて表示する。その後、デジタルサイネージシステム１０は、グローバル情報の画面に再度切り替えるが、当該ローカル情報が削除されるまで、テロップでローカル情報を表示し続けることもできる。
【００５８】
また、デジタルサイネージシステム１０は、優先度が高いローカル情報については、赤色のテロップで、緊急であることを通知する音とともに表示させることもできる。
【００５９】
また、上記実施例では、優先順を高・低に分ける例を説明したが、これに限定されるものではない。例えば、３段階に分けることもでき、優先順位を用いなくてもよい。その場合、表示端末１８は、グローバル情報よりもローカル情報を優先的に表示するように制御する。
【００６０】
（入力端末）
デジタルサイネージシステム１０の入力端末１７は、複数の端末からローカル情報を受け付けて、必要な情報のみを表示端末１８に出力することもできる。図１３は、実施例２に係るシステムの全体構成例を示す図である。
【００６１】
図１３に示すシステムの全体構成は図１と同じであるが、異なる点は、入力端末１７に端末５０、端末５１、端末５２が接続される点である。端末５０から５２は、ローカル情報の入力を実行する入力端末の一例である。入力端末１７は、各端末から入力された情報を受信する。そして、入力端末１７は、予め指定するキーワード（例えば、救助、地震、余震など）が含まれている情報だけを、表示端末１８に送信する。
【００６２】
このようにすることで、例えば被災地などで、各救助隊の情報を一括で管理し、必要な情報のみを被災者に通知することができる。また、消防隊の訓練などで、各グループの訓練の進捗状況を一括で管理することができる。
【００６３】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６４】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００６５】
１  管理端末
２  データセンタ
３  ネットワーク
１０  デジタルサイネージシステム
１１  電池
１２  電源タップ
１３  バッテリー
１４  充電アダプター
１５  ラジオ
１６  ルータ
１７  入力端末
１７ａ  表示部
１７ｂ  入力受付部
１７ｃ  出力部
１７ｄ  送信部
１８  表示端末
１８ａ  コンテンツ記憶部
１８ｂ  送受信部
１８ｃ  取得部
１８ｄ  表示制御部
１８ｅ  表示部
２０  発電機
【図１】
0006576654.tif 000002
【図２】
0006576654.tif 000003
【図３】
0006576654.tif 000004
【図４】
0006576654.tif 000005
【図５】
0006576654.tif 000006
【図６】
0006576654.tif 000007
【図７】
0006576654.tif 000008
【図８】
0006576654.tif 000009
【図９】
0006576654.tif 000010
【図１０】
0006576654.tif 000011
【図１１】
0006576654.tif 000012
【図１２】
0006576654.tif 000013
【図１３】
0006576654.tif 000014